(57)【特許請求の範囲】
【請求項１】
枠体に障子が設けられる建具であって、
前記枠体と矩形状をなす前記障子の周縁部が見込み方向において対向するとともに前記障子の四辺の長手方向に沿う位置おいて、前記枠体と前記障子とのうちの少なくとも一方に設けられ他方に当接して前記枠体と前記障子との間を閉塞する気密材を有し、
前記気密材は、前記障子の見込み方向における変位により前記他方との間隔が狭くなる位置に設けられて当該他方に押圧される押圧部位と、前記変位により前記他方との間隔が広くなる位置に設けられ当該他方から離れる離間部位と、を、いずれも有し、
前記障子の四辺の長手方向に沿う位置に配置されている部位毎に、前記押圧部位と前記離間部位のいずれかをなしていることを特徴とする建具。
【請求項２】
請求項１に記載の建具であって、
前記障子の四辺の上下方向に沿う二辺のうちの一辺が前記押圧部位をなし、他辺が前記離間部位をなすとともに、
前記四辺の左右方向に沿う二辺のうちの一辺が前記押圧部位をなし、他辺が前記離間部位をなすことを特徴とする建具。
【請求項３】
請求項１に記載の建具であって、
前記障子の四辺の上下方向に沿う二辺と左右方向に沿う二辺とのうちの一方が前記押圧部位をなし、他方が前記離間部位をなすことを特徴とする建具。
【請求項４】
請求項１乃至請求項３のいずれかに記載の建具であって、
前記障子は、当該障子の下端と前記枠体との間に前記障子に仕切られた２つの空間を連通する空隙を形成可能に前記枠体に支持されていることを特徴とする建具。
【請求項５】
請求項４に記載の建具であって、
前記障子は、下端が前記枠体との間に、互いに間隔を隔てて配置される複数の支持部材に支持されることにより前記空隙が形成されていることを特徴とする建具。
【請求項６】
請求項１乃至請求項５のいずれかに記載の建具であって、
屋内外の境界に、当該建具と異なる他の建具とともに設けられ、
当該建具は、前記他の建具の屋内側に配置されることを特徴とする建具。
【請求項７】
請求項１乃至請求項６のいずれかに記載の建具であって、
前記枠体には、前記障子を見込み方向に付勢する付勢部材が設けられていることを特徴とする建具。
【発明の詳細な説明】
【技術分野】
【０００１】
本発明は、枠体に障子が設けられる建具に関する。
【背景技術】
【０００２】
枠体に障子が設けられる建具としては、例えば、枠の内側に内障子及び外障子を備えた引き違い窓をなすサッシが知られている(例えば、特許文献１参照)。このようなサッシは、内障子および外障子を閉じた状態で、内障子及び外障子と枠とが対向する部位において、枠に設けられたシール材が室内側から内障子及び外障子に当接されてシールされている。
【先行技術文献】
【特許文献】
【０００３】
【特許文献１】特開２００７−１９１９３７号公報
【発明の概要】
【発明が解決しようとする課題】
【０００４】
上記のような建具は、建具により仕切られる２つの空間の間における気密性、遮音性、断熱性等を考慮して、高いシール性を備えているものがある。このような建具にあっては、障子に対してシール材が設けられている側と反対側から風が吹き付けて風圧により障子に多大な負荷が作用し障子に反りなどが生じて隙間が生じる虞がある。このため、シール性を確保するために障子の剛性を高めなければならず、重量及びコストが嵩むという課題がある。
本発明は、かかる課題に鑑みてなされたものであり、その目的とするところは、気密性を備えつつ風圧等による負荷の作用が小さな建具を提供することにある。
【課題を解決するための手段】
【０００５】
かかる目的を達成するために本発明の建具は、枠体に障子が設けられる建具であって、前記枠体と矩形状をなす前記障子の周縁部が見込み方向において対向するとともに前記障子の四辺の長手方向に沿う位置おいて、前記枠体と前記障子とのうちの少なくとも一方に設けられ他方に当接して前記枠体と前記障子との間を閉塞する気密材を有し、前記気密材は、前記障子の見込み方向における変位により前記他方との間隔が狭くなる位置に設けられて当該他方に押圧される押圧部位と、前記変位により前記他方との間隔が広くなる位置に設けられ当該他方から離れる離間部位と、を、いずれも有し、前記障子の四辺の長手方向に沿う位置に配置されている部位毎に、前記押圧部位と前記離間部位のいずれかをなしていることを特徴とする建具である。
【０００６】
このような建具によれば、障子が見込み方向に変位したときには、他方に押圧される押圧部位と、他方の部位から離れる離間部位とを有する気密材が枠体及び障子が見込み方向において対向する部位に設けられている。このため、例えば障子の一方側と他方側との圧力差により障子に反りなどが生じた場合であっても、離間部位から障子の一方側と他方側との間にて空気が流れ圧力差が解消されるので、障子に作用する負荷を軽減することが可能である。また、障子の一方側と他方側との間にて圧力差が解消された際には、押圧部位と離間部位とがいずれも当接して枠体と障子との間を閉塞することが可能である。このため、気密性を備えつつ風圧等による負荷の作用が小さな建具を提供することが可能である。
【０００８】
また、矩形状をなす障子の周縁の四辺において長手方向に沿って各々配置された気密材毎に押圧部位または離間部位をなしているので、気密材は、四辺の各辺のいずれにおいても分断されない。このため、気密性を低下させることなく押圧部位及び離間部位を設けることが可能である。
【０００９】
かかる建具であって、前記障子の四辺の上下方向に沿う二辺のうちの一辺が前記押圧部位をなし、他辺が前記離間部位をなすとともに、前記四辺の左右方向に沿う二辺のうちの一辺が前記押圧部位をなし、他辺が前記離間部位をなすことが望ましい。
【００１０】
このような建具によれば、矩形状をなす障子の周縁部における四辺の上下方向に沿う二辺のうちの一辺ずつが押圧部位と離間部位とをなし、左右方向に沿う二辺のうちの一辺ずつが押圧部位と離間部位とをなしている。このため、障子の周縁部において押圧部位と離間部位との長さが等しくなるので、障子の一方側と他方側との圧力差等により障子に反りが生じた際にはバランス良く空気を流通させて圧力差を解消させることが可能である。
【００１１】
かかる建具であって、前記障子の四辺の上下方向に沿う二辺と左右方向に沿う二辺とのうちの一方が前記押圧部位をなし、他方が前記離間部位をなすことが望ましい。
【００１２】
このような建具によれば、上下の２辺をなす部材および左右の２辺をなす部材が同一の部材なので、部材の種類を少なくすることが可能であり、部材の管理および枠体の組立が容易である。また、上下方向に沿う二辺をなす部材、左右方向に沿う二辺をなす部材をそれぞれ押圧部位と離間部位とに分ける場合に用いる部材を共通化する場合には気密材の取付部を各部材に２箇所ずつ設けなければならないが、上下の２辺をなす部材および左右の２辺をなす部材を同一の部材とすると、気密材の取付部を各部材に１箇所設ければよい。このため、部材のサイズも小さくすることが可能である。
【００１３】
かかる建具であって、
前記障子は、当該障子の下端と前記枠体との間に前記障子に仕切られた２つの空間を連通する空隙を形成可能に前記枠体に支持されていることが望ましい。
【００１４】
このような建具によれば、障子は枠体に支持されて障子の下端と枠体との間に、障子に仕切られた２つの空間を連通する空隙を形成可能なので、障子に仕切られた２つの空間の圧力差等により障子に反りが生じた際には障子の下側にて空気を流通させて圧力差を解消させることが可能である。
【００１５】
かかる建具であって、前記障子は、下端が前記枠体との間に、互いに間隔を隔てて配置される複数の支持部材に支持されることにより前記空隙が形成されていることが望ましい。
【００１６】
このような建具によれば、障子は、下端が支持部材に支持されて枠体に支持されているので、障子をより安定した状態に支持することが可能である。また、支持部材は互いに間隔を隔てて複数配置されているので、障子に仕切られた２つの空間の圧力差等により障子に反りが生じた際には障子の下側にて支持部材の間から空気を流通させて圧力差を解消させることが可能である。
【００１７】
かかる建具であって、屋内外の境界に、当該建具と異なる他の建具とともに設けられ、  当該建具は、前記他の建具の屋内側に配置されることが望ましい。
【００１８】
このような建具によれば、屋外側に他の建具が設けられているので、他の建具の屋内側に配置される当該建具は、障子に仕切られた２つの空間の圧力差等により障子に反りが生じた際に空気を流通させて圧力差を解消させるため、屋外側に配置される他の建具ほど、高い強度及び気密性が求められない。このため、軽量で安価な建具を提供することが可能である。
【００１９】
かかる建具であって、前記枠体には、前記障子を見込み方向に付勢する付勢部材が設けられていることが望ましい。
このような建具によれば、枠体に設けられた付勢部材により障子が見込み方向に付勢されるので、例えば、障子に反りが生じていた場合であっても付勢部材により障子を枠体側に押圧して枠体と障子との間を閉塞することが可能である。
【発明の効果】
【００２０】
本発明によれば、気密性を備えつつ風圧等による負荷の作用が小さな建具を提供することが可能である。
【図面の簡単な説明】
【００２１】
【図１】本実施形態に係る内窓建具を示す縦断面図である。
【図２】本実施形態に係る内窓建具を示す横断面図である。
【図３】障子の上部にて内縦枠と横框材に設けられた気密材を示す斜視図である。
【図４】障子の下部にて内縦枠と横框材に設けられた気密材を示す斜視図である。
【図５】室内側の圧力のほうが低い場合の気密材の状態を示す縦断面図である。
【図６】室内側の圧力のほうが低い場合の気密材の状態を示す横断面図である。
【図７】室内側の圧力のほうが高い場合の気密材の状態を示す縦断面図である。
【図８】室内側の圧力のほうが高い場合の気密材の状態を示す横断面図である。
【図９】本発明の変形例に係る内窓建具を示す縦断面図である。
【図１０】本発明の変形例に係る内窓建具を示す横断面図である。
【図１１】変形例において障子が取り付けられる状態を示す縦断面図である。
【図１２】変形例において室内側の圧力のほうが高い場合の気密材の状態を示す縦断面図である。
【図１３】引き違い窓用の内窓建具を示す縦断面図である。
【図１４】引き違い窓用の内窓建具を示す横断面図である。
【発明を実施するための形態】
【００２２】
以下、本発明の一実施形態に係る建具について図面を参照して説明する。
本実施形態の建具は、図１、図２に示すような、例えばビルなどの建物の外周に設けられＦＩＸ窓をなす外窓の室内側に、外窓の建具（以下、外窓建具という）１と併設させて設けられたＦＩＸ窓をなす内窓として設けられる建具（以下、内窓建具という）１０である。
【００２３】
以下の説明においては、内窓建具１０が建物に取り付けられている状態で室内側から見たときに、上下となる方向を上下方向、左右となる方向を左右方向、室内外方向である奥行き方向を見込み方向として示す。また、内窓建具１０の各部位であっても、また、内窓建具１０を構成する各部材については単体の状態であっても、内窓建具１０が取り付けられた状態で上下方向、左右方向、見込み方向等となる方向にて方向を特定して説明する。
【００２４】
外窓建具１は、アルミニウム製の押出成形部材でなる左右の外縦枠材２ａおよび上下の外横枠材２ｂで矩形状に形成され、躯体に設けられた開口に取り付けられた外枠体２と、周縁部が外枠体２により保持されて外枠体２に囲まれている内側に設けられた外単板ガラス３と、を有している。外単板ガラス３は、下側の外横枠材２ｂに設けられて外単板ガラス３の下端を収容する外ガラス収容部２ｃに、下側の外横枠材２ｂ及び左右の外縦枠材２ａの長手方向に沿って形成されたスリット２ｄから挿入され、外ガラス収容部２ｃ内に設けられたセッティングブロック４上に載置されている。また、外単板ガラス３の両面において外枠体２と対向する部位には、外枠体２との間にシーリング材５が充填されている。
【００２５】
外窓建具１の外枠体２には、外単板ガラス３が取り付けられる部位が、見込み方向において外枠体２の中央より室外側に配置されており、その室内側は、左右の外縦枠材２ａ同士および上下の外横枠材２ｂ同士が各々対向する平坦な対向面をなす外枠対向部２ｅが設けられている。
【００２６】
内窓建具１０は、外枠体２を形成する左右の外縦枠材２ａの各外枠対向部２ｅと上下の外横枠材２ｂの各外枠対向部２ｅとにより囲まれた空間に設けられる内枠体１１と、内枠体１１により形成される開口１１ａに設けられるＦＩＸ障子２０と、を有している。以下の説明においては、矩形状をなす外枠体２および内枠体１１に囲まれている側を内周側、反対側を外周側として説明する。
内枠体１１は、左右の内縦枠材１２と上下の内横枠材１３とが矩形状に接合されて形成されている。
【００２７】
内枠体１１は、同一の断面形状をなすアルミニウム製の押出成形部材である内縦枠材１２が同一の長さに切断され、断面形状が左右反転するように配置され、ほぼ同一の断面形状をなすアルミニウム製の押出成形部材である内横枠材１３が同一の長さに切断され、断面形状が上下反転するように配置されている。
【００２８】
各内縦枠材１２は、外縦枠材２ａの外枠対向部２ｅに当接される外縦枠当接部１２ａと、外縦枠当接部１２ａの室外側の縁から内周側に突出する板状の縦突出板状部１２ｂと、を有している。外縦枠当接部１２ａは、外周部すなわち外枠対向部２ｅと対向する面側の室外側の部位に、外周側に開放されて軟質の合成樹脂製の止水材１９が取り付けられる止水材取付部１２ｃと、止水材取付部１２ｃの室内側に位置させて内周側に窪む縦溝部１２ｄとが、内縦枠材１２の長手方向に沿って全長に亘って設けられている。外縦枠当接部１２ａにおける縦溝部１２ｄの内周側には、内周側に突出させて、内枠体１１の内側に設けられるＦＩＸ障子２０の見込み方向における変位を規制するための規制ピン１８が設けられ、規制ピン１８に一体に形成されたねじ部１８ａが螺合されて、その先端が縦溝部１２ｄに突出している。
【００２９】
縦突出板状部１２ｂの内周側の端部には、室内側から嵌合可能な気密材１４が嵌合される気密材嵌合部１２ｅが長手方向に沿って設けられている。気密材１４は、気密材嵌合部１２ｅに嵌入される嵌入部１４ａと、嵌入部１４ａと繋がって気密材嵌合部１２ｅより室内側に突出し弾性変形可能な弾性部１４ｂとを有している。
【００３０】
各内横枠材１３は、外横枠材２ｂの外枠対向部２ｅに当接される外横枠当接部１３ａと、外横枠当接部１３ａの室外側の縁から内周側に突出する板状の室外突出板状部１３ｂと、外横枠当接部１３ａの室内側の縁から内周側に突出する板状の室内突出板状部１３ｃと、を有している。外横枠当接部１３ａは、外周部すなわち外枠対向部２ｅと対向する面側の室外側の部位に、外周側に開放されて軟質の合成樹脂製の止水材１９が取り付けられる止水材取付部１３ｄが、外縦枠材２ａの長手方向に沿って全長に亘って設けられている。上下の内横枠材１３の室内突出板状部１３ｃは、室外突出板状部１３ｂより外枠対向部２ｅからの突出量が小さく形成されており、さらに、下側の内横枠材１３の室内突出板状部１３ｃは、上側の内横枠材１３の室内突出板状部１３ｃより外枠対向部２ｅからの突出量が小さく形成されている。
【００３１】
内枠体１１は、左右に配置された２本の内縦枠材１２の上下端部間に上下の内横枠材１３を側方からビス止めして矩形状に形成すると、内枠体１１の外周部に、全周に亘って繋がった止水材取付部１２ｃ、１３ｄの開放された部位から止水材１９が僅かに突出する。このため、ＦＩＸ障子２０を外枠体２の内周側に装着すると、内枠体１１と、外枠体２の各枠材２ａ、２ｂが有する外枠対向部２ｅとの間が全周に亘って止水材１９により止水される。
【００３２】
ＦＩＸ障子２０は、アルミニウム製の押出成形部材でなる左右の縦框材２１および上下の横框材２２で矩形状に形成された框体２３と、周縁部が框体２３により保持されて框体２３に囲まれている内側に設けられる内単板ガラス２４と、を有している。
【００３３】
框体２３は、同一の断面形状をなすアルミニウム製の押出成形部材である縦框材２１が同一の長さに切断されて断面形状が左右反転するように配置され、同一の断面形状をなすアルミニウム製の押出成形部材である横框材２２が同一の長さに切断されて断面形状が上下反転するように配置されている。
【００３４】
縦框材２１は、室外に臨む面をなす板状の縦外板部２１ａと、縦外板部２１ａと見込み方向に間隔を隔てて対向し室内に臨む面をなす板状の縦内板部２１ｂと、縦外板部２１ａと縦内板部２１ｂとを見込み方向に繋ぐ縦連結リブ２１ｃと、を有している。
【００３５】
縦外板部２１ａおよび縦内板部２１ｂの縦連結リブ２１ｃより内周側の部位と縦連結リブ２１ｃとにより内周側に開放されて内単板ガラス２４の端部が収容されるガラス端収容部２１ｄが形成されており、縦外板部２１ａおよび縦内板部２１ｂの縦連結リブ２１ｃより外周側の部位と縦連結リブ２１ｃとにより外周側に開放されて規制ピン１８が挿入されるピン挿入部２１ｅが形成されている。
【００３６】
横框材２２は、室外に臨む面をなす板状の横外板部２２ａと、横外板部２２ａと見込み方向に間隔を隔てて対向し室内に臨む面をなす板状の横内板部２２ｂと、横外板部２２ａと横内板部２２ｂとを見込み方向に繋ぐ横連結リブ２２ｃと、を有している。
【００３７】
横外板部２２ａおよび横内板部２２ｂの横連結リブ２２ｃより内周側の部位と横連結リブ２２ｃとにより内周側に開放されて内単板ガラス２４の端部が収容されるガラス端収容部２２ｄが形成されており、横外板部２２ａおよび横内板部２２ｂの横連結リブ２２ｃより外周側の部位と横連結リブ２２ｃとにより外周側に開放されて内横枠材１３の室内突出板状部１３ｃが挿入される枠材挿入部２２ｅが形成されている。
【００３８】
横框材２２の、横連結リブ２２ｃの横外板部２２ａ側の端部には、左右の縦框材２１と上下の横框材２２とを矩形状に接合するためのビスが螺合されるビス螺合部２２ｆが設けられ、横外板部２２ａの内周側の端部には、室内側から嵌合可能な気密材１４が嵌合される気密材嵌合部２２ｇが長手方向に沿って設けられている。気密材１４は、内縦枠材１２の縦突出板状部１２ｂにおける内周側の端部に設けられている気密材１４と同部材である。
【００３９】
左右の縦框材２１と上下の横框材２２が矩形状に接合された框体２３は、内周側に開放されたガラス端収容部２１ｄ、２２ｄが全周に亘って形成され、このガラス端収容部２１ｄ、２２ｄに、ガスケット２５を介して内単板ガラス２４の周端部が収容されてＦＩＸ障子２０が構成されている。
【００４０】
ＦＩＸ障子２０は、外枠体２の室内側に装着された内枠体１１に装着される。より具体的には、室内側からＦＩＸ障子２０を、その上部が下部より室外側に位置するように傾斜させ、上方に持ち上げつつ上側の横框材２２の横外板部２２ａと横内板部２２ｂとの間に、上側の内横枠材１３の室内突出板状部１３ｃを挿入し、下側の横框材２２の横外板部２２ａと横内板部２２ｂとの間に下側の内横枠材１３の室内突出板状部１３ｃが位置するように、ＦＩＸ障子２０の下部を室外側に移動させて降下させることにより内枠体１１に装着される。このとき、内枠体１１の内縦枠材１２に設けられている規制ピン１８をＦＩＸ障子２０の縦框材２１に設けたれたピン挿入部２１ｅに挿入してＦＩＸ障子２０の見込み方向における変位を規制する。また、このとき、内枠体１１の下側の内横枠材１３内には、ＦＩＸ障子２０を支持するための支持部材２６が設けられている。支持部材２６は、下側の内横枠材１３内に配置したときに上面２６ａが平坦となるアルミニウム製のブロック材であり、下側の内横枠材１３の長手方向において両端側にそれぞれ設けられており、２つの支持部材２６間は間隔が隔てられている。このため、２つの支持部材２６間においては、ＦＩＸ障子２０の下端と下側の内横枠材１３との間に空隙Ｓが設けられる。
【００４１】
ＦＩＸ障子２０が、内枠体１１に装着されると、左右の内縦枠材１２の縦突出板状部１２ｂの内周側の端部に設けられた気密材１４が、弾性部１４ｂが僅かに屈曲されて縦框材２１の室外側の面に押圧され、上下の横框材２２の横外板部２２ａの内周側の端部に設けられた気密材１４が、弾性部１４ｂが僅かに屈曲されて内横枠材１３の室内突出板状部１３ｃの室外側の面に押圧される。
【００４２】
ＦＩＸ障子２０が装着された内枠体１１の四方の角部には、それぞれ、左右の内縦枠材１２に設けられた縦の気密材１４と上下の横框材２２に設けられた横の気密材１４との気密材状態が全周に亘って繋がるように、縦の気密材１４と横の気密材１４との間を繋ぐ気密材ブロック２７が設けられている。気密材ブロック２７は各々、図３、図４に示すように、互いに隣接する縦の気密材１４の端部１４ｃと、横の気密材１４の端部１４ｃとが各々当接される当接面２７ａを備えるとともに、縦框材２１と横框材２２とが接合された角部と内枠体１１との間を塞ぐように形成されている。
【００４３】
そしてＦＩＸ２０は、見込み方向においてＦＩＸ障子２０に仕切られた２つの空間、すなわち、外窓建具１とＦＩＸ障子２０との間の空間と、ＦＩＸ障子２０の室内側の空間との間に気圧差が生じて、ＦＩＸ障子２０に反りが生じて左右の縦框材２１および上下の横框材２２の一部が見込み方向において変位する、或いは、ＦＩＸ障子２０が見込み方向に移動することによりＦＩＸ障子２０全体が変位する場合には、気圧差を解消するように作用する。
【００４４】
たとえば、外窓建具１とＦＩＸ障子２０との間の空間のほうがＦＩＸ障子２０の室内側の空間より圧力が高くなると、ＦＩＸ障子２０は、室内側に膨らむように反りが生じるか、ＦＩＸ障子２０が室内側に移動する。これにより、上下の横框材２２は室内側に押されるので上下の横框材２２に設けられた気密材１４の弾性部１４ｂは、図５に示すように、内横枠材１３の室内突出板状部１３ｃの室外側の面に、より強く押圧される。一方、左右の縦框材２１も室内側に押されるが、左右の縦框材２１は左右の内縦枠材１２から離れる方向に変位するので左右の縦框材２１に設けられた気密材１４の弾性部１４ｂは、図６に示すように、縦框材２１の室外側面との間に隙間が生じる。このとき、高圧側であるＦＩＸ障子２０の室外側から室内側に空気が移動して圧力差が解消され、ＦＩＸ障子２０の反りや移動等による変位が解消されて、再びＦＩＸ障子２０の全周に亘って閉塞された状態となる。このとき、外窓建具１とＦＩＸ障子２０との間の空間のほうがＦＩＸ障子２０の室内側の空間より圧力が高い場合には、上下の横框材２２に設けられた気密材１４が押圧部位に相当し、左右の縦框材２１に設けられた気密材１４が離間部位に相当する。
【００４５】
また、外窓建具１とＦＩＸ障子２０との間の空間のほうがＦＩＸ障子２０の室内側の空間より圧力が低くなると、ＦＩＸ障子２０は、室外側に膨らむように反りが生じるか、ＦＩＸ障子２０が室外側に移動する。これにより、左右の縦框材２１は室外側に押されるので左右の内縦枠材１２に設けられた気密材１４の弾性部１４ｂを図７に示すように、より強く押圧する。一方、上下の横框材２２も室外側に押されるが、上下の横框材２２は上下の内横枠材１３の室内突出板状部１３ｃから離れる方向に変位するので上下の横框材２２に設けられた気密材１４の弾性部１４ｂは、図８に示すように、内横枠材１３の室外側面との間に隙間が生じる。このとき、ＦＩＸ障子２０の室内側から室外側、すなわち高圧側から室内側に空気が移動して圧力差が解消され、ＦＩＸ障子２０の反りや移動等による変位が解消されて、再びＦＩＸ障子２０の全周に亘って閉塞された状態となる。このとき、ＦＩＸ障子２０の下端は、両端が支持部材２６に支持されているので、ＦＩＸ障子２０の下方においても２つの支持部材２６間にて高圧側から室内側に空気が移動して圧力差が解消される。このとき、外窓建具１とＦＩＸ障子２０との間の空間のほうがＦＩＸ障子２０の室内側の空間より圧力が低い場合には、左右の内縦枠材１２に設けられた気密材１４が押圧部位に相当し、上下の横框材２２に設けられた気密材１４が離間部位に相当する。
【００４６】
本実施形態の内窓建具１０によれば、ＦＩＸ障子２０が見込み方向における室外側または室内側のいずれか一方側に変位したときには、他方に押圧される押圧部位と、他方の部位から離れる離間部位とを有する気密材１４が内枠体１１及びＦＩＸ障子２０の框体２３が見込み方向において対向する縦突出板状部１２ｂおよび室内突出板状部１３ｃに設けられている。このため、ＦＩＸ障子２０により仕切られる２つの空間、すなわち外窓建具１とＦＩＸ障子２０との間の空間とＦＩＸ障子２０の室内側の空間との圧力差によりＦＩＸ障子２０に反りなどが生じた場合であっても、離間部位から２つの空間の間で空気が流れて圧力差が解消されるので、ＦＩＸ障子２０に作用する負荷を軽減することが可能である。
【００４７】
また、外窓建具１とＦＩＸ障子２０との間の空間とＦＩＸ障子２０の室内側の空間との圧力差が解消された際には、左右の内縦枠材１２に設けられた気密材１４と、上下の横框材２２に設けられた気密材１４とがいずれも当接して内枠体１１とＦＩＸ障子２０との間を閉塞することが可能である。このため、気密性を備えつつ風圧等による負荷の作用が小さな建具１０を提供することが可能である。
【００４８】
また、矩形状をなすＦＩＸ障子２０の框体２３の周縁の四辺において長手方向に沿って各々配置された各気密材１４が、押圧部位または離間部位をなすので、気密材１４は、四辺の各辺のいずれにおいても分断されることなく設けられている。このため、気密性を低下させることなく押圧部位及び離間部位を設けることが可能である。
【００４９】
また、ＦＩＸ障子２０の四辺の上下方向に沿う縦框材２１と左右方向に沿う横框材２２とのうちの一方が押圧部位をなし、他方が前記離間部位をなすので、上下方向に沿う縦框材２１同士および左右方向に沿う横框材２２同士は同一の部材である。このため、部材の種類を少なくすることが可能であり、部材の管理および枠体の組立が容易である。また、上下方向に沿う縦框材２１、左右方向に沿う横框材２２をそれぞれ押圧部位と離間部位とに分ける場合に用いる框材を共通化する場合には気密材嵌合部を各部材に２箇所ずつ設けなければならないが、左右の縦框材２１および上下の２横框材２２を同一の框材とすると、気密材嵌合部を各部材に１箇所設ければよい。このため、縦框材２１および横框材２２のサイズを小さくすることが可能である。
【００５０】
また、本内窓建具１０は、ＦＩＸ障子２０の下端を支持する構造としたが、ＦＩＸ障子２０と下側の内横枠材１３との間に、下側の内横枠材１３の長手方向における両端側に互いに間隔を隔てて配置した支持部材２６を介させることにより、外窓建具１とＦＩＸ障子２０との間の空間とＦＩＸ障子２０の室内側の空間の圧力差等によりＦＩＸ障子２０に反りが生じたとしても、ＦＩＸ障子２０の下側にて空気を流通させて圧力差を解消させることが可能である。このとき、支持部材２６の配置は、ＦＩＸ障子２０の両端側に限らず、ＦＩＸ障子２０を適切な姿勢で支持可能であれば、ＦＩＸ障子２０の幅より短い支持部材２６を、ＦＩＸ障子２０の幅方向に適宜間隔を隔てて複数配置する、或いは、１つの支持部材２６により支持させることにより、ＦＩＸ障子２０の下側にて空気を流通させて圧力差を解消させてもよい。
【００５１】
また、ＦＩＸ障子２０の下側の横框材２２を全長に亘って支持部材２６に当接させて内横枠材１３上に載置し、内横枠材１３におけるＦＩＸ障子２０の幅方向における一部に、下側の横框材２２と内横枠材１３との間にて気密材１４が離間したときに外窓建具１とＦＩＸ障子２０との間の空間とＦＩＸ障子２０の室内側の空間との間が連通される空隙を形成すべく、凹部等を設けておいても構わない。このとき、支持部材２６は必ずしも設けなくともよい。
【００５２】
また、本実施形態においては、ＦＩＸ障子２０の下端を支持する構造としたが、例えば、ＦＩＸ障子２０の縦框材における縦外板部の外周側の端部から縦内板部側に規制ピンと交差する壁部を設け、この壁部に規制ピンが挿入される切り欠き部を形成し、ＦＩＸ障子を内枠体に装着した際に、切り欠き部の縁が規制ピンに支持されることにより、ＦＩＸ障子の下端が下側の内横枠材の上方に離れた位置に配置されるようにＦＩＸ障子を支持させて外窓建具１とＦＩＸ障子２０との間の空間とＦＩＸ障子２０の室内側の空間とが連通される構成としてもよい。この場合には、ＦＩＸ障子２０の下端を下側の内横枠材１３支持する場合より広い領域にて外窓建具１とＦＩＸ障子２０との間の空間とＦＩＸ障子２０の室内側の空間を連通させることが可能である。
【００５３】
また、上記実施形態のように、外窓建具１の内側に設けられる内窓の建具として使用することにより、外窓建具１ほどの高い強度及び気密性が求められないので、軽量で安価な建具１０を提供することが可能である。
【００５４】
上記実施形態においては、矩形状をなすＦＩＸ障子２０の周縁部にて内枠体１１と対向する左右の縦突出板状部１２ｂおよび上下の室内突出板状部１３ｃに設けられた４つの気密材１４のうち、左右の縦突出板状部１２ｂに設けられた気密材１４同士または上下の室内突出板状部１３ｃに設けられた気密材１４同士が、押圧部位または離間部位をなす例について説明したが、これに限るものではない。たとえば、左右の縦突出板状部１２ｂに設けられた気密材１４の一方を押圧部位とし他方を離間部位とし、また、上下の室内突出板状部１３ｃに設けられた気密材１４のうちの一方を押圧部位とし他方を離間部位としてもよい。この場合には、ＦＩＸ障子２０の周縁部において押圧部位と離間部位との長さが等しくなるので、外窓建具１とＦＩＸ障子２０との間の空間とＦＩＸ障子２０の室内側の空間との圧力差等によりＦＩＸ障子２０に反りが生じた際にはバランス良く空気を流通させて圧力差を解消させることが可能である。
【００５５】
また、気密材１４の離間部位は、ＦＩＸ障子２０の周縁部にて内枠体１１と対向する全周の少なくとも一箇所に設けられていればよく、例えば、矩形状をなすＦＩＸ障子２０の周縁の四辺のうちの一辺の一部が離間部位であっても構わない。
【００５６】
また、上記実施形態においては、内枠体１１とＦＩＸ障子２０とが見込み方向に対向する部位のいずれか一方に気密材１４が設けられている例について説明したが、内枠体１１とＦＩＸ障子２０とにそれぞれ気密材１４が設けられていても構わない。
【００５７】
本発明の建具は、室外側の空間と室内側の空間とに圧力差が生じた場合に離間部位から２つの空間の間で空気を流して圧力差を解消することにより、風圧等により障子に作用する負荷を小さく抑えることができるため、サイズの大きな障子であっても取り付けることが可能となった。しかしながら、サイズの大きな障子は、框を構成する各框材の長さが長くなるため、障子の製造段階において框材に反りが生じてしまい、建物に取り付けた際に障子と枠体との間に隙間が生じてしまう虞がある。
【００５８】
このため、サイズが大きく反りが生じてしまった障子を取り付けた場合であっても気密性を保つために、上記実施形態の構成に追加して、框材の反りが生じやすい箇所を見込み方向に付勢して枠体側に押圧する付勢部材を備えていても良い。
製造された状態で反りが生じてしまった障子の反りを抑える付勢部材を備えた上記実施形態の変形例を以下に説明する。以下の説明において、上記実施形態と同一構成については図中で同符号を付して示し、その説明については省略する。
【００５９】
図９、図１０に示すように、ＦＩＸ障子２０の上下の横框材２２を室外側から室内側に向かって見込み方向に押圧する付勢部材としての板ばね３０が、上下の横框材２２の長手方向におけるほぼ中央に位置させてそれぞれ設けられている。
【００６０】
板ばね３０は、上下の内横枠材１３において、外横枠当接部１３ａ、室外突出板状部１３ｂおよび室内突出板状部１３ｃにより形成されて、上側の横框材２２の上端部または下側の横框材２２の下端部がそれぞれ挿入される框挿入部１３ｅ内に設けられ、上側の内横枠材１３における外横枠当接部１３ａの下面と、下側の内横枠材１３における外横枠当接部１３ａの上面とにそれぞれビスにより固定されている。
【００６１】
上下の内横枠材１３にそれぞれ固定される板ばね３０は、同一の部材であり、上下の向きを反転して上下の内横枠材１３に固定されている。このため、以下の板ばね３０の説明は、上側の内横枠材１３に設けられた板ばね３０を例に挙げて説明する。すなわち、以下の説明においては、下側の内横枠材１３に取り付けられた状態の板ばね３０は、上側の板ばね３０と上下の方向のみが相違する。
【００６２】
上側の板ばね３０は、上側の内横枠材１３における外横枠当接部１３ａにビス止めされる固定板部３０ａと、固定板部３０ａの室外側の縁から垂設された第１鉛直板部３０ｂと、第１鉛直板部３０ｂの下縁から室内側に向かう傾斜をなす第１傾斜部３０ｃと、第１傾斜部３０ｃの下縁から垂設された第２鉛直板部３０ｄと、第２鉛直板部３０ｄの下縁から室外側に向かう傾斜をなす第２傾斜部３０ｅと、第２傾斜部３０ｅの先端に設けられ当該板ばね３０の変形により室外突出板状部１３ｂに沿って摺動する摺動部３０ｆと、を有している。
【００６３】
固定板部３０ａは、上側の内横枠材１３における外横枠当接部１３ａの下面において、室外側の止水材１９が設けられている部位を除く平坦な部位に当接されるように形成されている。このため、板ばね３０が固定された状態では、固定板部３０ａの室外側の縁から垂設された第１鉛直板部３０ｂは、室外突出板状部１３ｂとほぼ平行をなすように間隔を隔てて対向している。
また、板ばね３０が固定された状態では、第１鉛直板部３０ｂと第２鉛直板部３０ｄとは、見込み方向に間隔を隔ててほぼ平行な面をなすように形成されている。
【００６４】
第１傾斜部３０ｃは、下方に向かって漸次、室外突出板状部１３ｂとの間隔が開くように傾斜しており、第２傾斜部３０ｅは、下方に向かって漸次、室外突出板状部１３ｂとの間隔が狭くなるように傾斜されている。そして、第２傾斜部３０ｅの下端は、第１鉛直板部３０ｂより室外側まで延出されており、その下端に設けられた摺動部３０ｆが室外突出板状部１３ｂに当接されるように形成されている。
【００６５】
ＦＩＸ障子２０は、図１１に示すように、上下の内横枠材１３に板ばね３０がそれぞれ固定された状態でけんどん式にて取り付けられる。より具体的には、室内側からＦＩＸ障子２０を、その上部が下部より室外側に位置するように傾斜させ、上方に持ち上げつつ上側の横框材２２の横外板部２２ａと横内板部２２ｂとの間に、上側の内横枠材１３の室内突出板状部１３ｃを挿入させる。このとき、上側の横框材２２の横外板部２２ａの上端部が板ばね３０の第２傾斜部３０ｅを押圧し、押圧された板ばね３０は、摺動部３０ｆが室外突出板状部１３ｂに沿って摺動しつつ伸ばされるように弾性変形する。
【００６６】
ＦＩＸ障子２０をさらに上方に持ち上げることにより、横外板部２２ａの上端部が板ばね３０の第２傾斜部３０ｅを摺動した後に第２鉛直板部３０ｄを摺動しつつ通過して第１傾斜部３０ｃの上側の空間に移動する。
【００６７】
その後、下側の横框材２２の横外板部２２ａと横内板部２２ｂとの間に下側の内横枠材１３の室内突出板状部１３ｃが位置するように、ＦＩＸ障子２０の下部を室外側に移動させて降下させることにより、下側の横框材２２の横外板部２２ａの下端部が板ばね３０の第２傾斜部３０ｅを押圧しつつ第２傾斜部３０ｅに案内されて下側の横框材２２の横外板部２２ａの下端部が支持部材２６の上面２６ａに載置されて内枠体１１に装着される。
【００６８】
ＦＩＸ障子２０が内枠体１１に装着された状態では、上下の横框材２２に反りが生じていない場合には、上下の板ばね３０の第２鉛直板部３０ｄが上下の横框材２２の横外板部２２ａに当接し、上下の横框材２２の横外板部２２ａを室内突出板状部１３ｃ側に付勢して押圧している。このため、外窓建具１とＦＩＸ障子２０との間の空間とＦＩＸ障子２０の室内側の空間との間にて圧力差が生じていない場合、または、圧力差が小さい場合には、ＦＩＸ障子２０と内枠体１１との間が全周に亘って閉塞された状態となる。このとき、上下の横框材２２が製造時等に反りが生じていたとしても、板ばね３０によりＦＩＸ障子２０が内横枠材１３側に押圧されることによりＦＩＸ障子２０の全周に亘って閉塞されて気密が保たれる。
【００６９】
そして、板ばね３０により発生する弾性力は、ＦＩＸ障子２０の室内側の空間の圧力が外窓建具１とＦＩＸ障子２０との間の空間の圧力より、設定された所望の値以上に大きくなった場合にＦＩＸ障子２０が室外側に移動するように設定しておく。これにより、外窓建具１とＦＩＸ障子２０との間の空間よりＦＩＸ障子２０の室内側の空間のほうが設定した圧力差以上に大きくなった場合には、ＦＩＸ障子２０は、板ばね３０の押圧力に抗して上下の横框材２２は上下の内横枠材１３から離れる方向に変位するので、図１２に示すように、上下の横框材２２に設けられた気密材１４の弾性部１４ｂと内横枠材１３の室外側面との間に隙間が生じる。そして、生じた隙間に空気が流れて圧力差が解消されてＦＩＸ障子２０に作用する負荷を軽減することが可能となる。
【００７０】
上述した変形例では、上下の横框材２２を室外側から室内側に向かって見込み方向に押圧する板ばね３０を設けた例について説明したが、左右の縦框材２１を室内側から室外側に向かって見込み方向に押圧する板ばねを設けておいてもよい。例えば、ＦＩＸ障子２０が内枠体１１に装着された際に、ピン挿入部２１ｅ内に入り込むように板ばねを内縦枠材１２に取り付けておき、縦外板部２１ａを室内側から室外側に向かって見込み方向に押圧する構成としても良い。この場合には、たとえ左右の縦框材２１が製造時等に反りが生じていたとしても、板ばねによりＦＩＸ障子２０が左右の内縦枠材１２側に押圧されることによりＦＩＸ障子２０の全周に亘って閉塞されて気密が保たれる。
【００７１】
そして、外窓建具１とＦＩＸ障子２０との間の空間の圧力がＦＩＸ障子２０の室内側の空間の圧力より、設定された所望の値以上に大きくなった場合にＦＩＸ障子２０が室内側に移動するように設定しておく。これにより、外窓建具１とＦＩＸ障子２０との間の空間の圧力がＦＩＸ障子２０の室内側の空間の圧力より、設定された所望の値以上に大きくなった場合には、ＦＩＸ障子２０は、板ばねの押圧力に抗して左右の縦框材２１は左右の内縦枠材１２から離れる方向に変位するので、左右の内縦枠材１２に設けられた気密材１４の弾性部１４ｂと縦外板部２１ａの室外側面との間に隙間が生じる。そして、生じた隙間に空気が流れて圧力差が解消されてＦＩＸ障子２０に作用する負荷を軽減することが可能となる。
【００７２】
本変形例においては、板ばね３０を上下の内横枠材１３のみ又は左右の内縦枠材１２のみに設けた例について説明したが、これに限らず、例えば、上下の内横枠材１３と左右の内縦枠材１２との両方に設けられている形態であっても構わない。
【００７３】
上記実施形態においては、付勢部材としての板ばね３０を上下の内横枠材１３の長手方向におけるほぼ中央に配置した例について説明したが、長手方向におけるいずれかの側に偏らせて配置してもよいし、複数個の板ばねを互いに間隔を隔てて配置しても構わない。また、板ばね３０の取り付けはビス止めに限らず接着や形材との係合でも構わない。また、板ばねの形状は、本実施形態にて説明した形状に限らず、ＦＩＸ障子２０の框材２１、２２を枠材１２、１３に押圧でき、かつ、ＦＩＸ障子２０の室内側の空間の圧力が外窓建具１とＦＩＸ障子２０との間の空間の圧力より、設定された所望の値以上に大きくなった際には弾性変形して気密材１４の離間部位が設けられる形状であれば構わない。
【００７４】
また、上記実施形態においては、框材を内横枠材１３側に押圧する付勢部材を板ばね３０としたが、弾性変形して框材を内横枠材１３側に押圧し装着される障子を案内可能な部材であれば、コイルばねやゴムなどを備えた部材であっても構わない。
【００７５】
上記実施形態においては、ＦＩＸ障子２０を備えた内窓建具１０を例に挙げて説明したが、これに限るものではない。たとえば、図１３、図１４に示すように、内障子１０１および外障子１０２を備えた引き違い窓用の建具１００であっても構わない。この場合には、例えば、各障子の上下端部において框体１０３内に挿入され、内枠体１０４が備えるヒレ状のレール１０４ａと上下の框材１０３ａとの間に、レール１０４ａに沿って室外側からレール１０４ａに当接されるように気密材１４を備え、各障子１０１、１０２の戸先框１０５内に挿入され、内枠体１０４が備えるヒレ状の挿入片１０４ｂと戸先框１０５との間に、挿入片１０４ｂに沿って室内側から挿入片１０４ｂに当接するように気密材１４を備えておく。これにより、外窓建具１と内窓建具１０との間の空間と内窓建具１０の室内側の空間との圧力差等により内障子１０１と外障子１０２に反りが生じた際には空気を流通させて圧力差を解消させることが可能である。このとき、内障子１０１と外障子１０２を閉じた状態にて、内障子１０１および外障子１０２の周縁部にて内枠体１０４と対向する全周の少なくとも一箇所に気密材１４の離間部位が設けられていれば構わない。また、障子は、ＦＩＸ障子、引き違い障子の他、開閉する開き戸用の障子でも構わない。また、障子の形状は矩形状に限らず、たとえば円形状、三角形状など矩形状以外の形状であっても構わない。
【００７６】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００７７】
１  外窓建具、１０  内窓建具(建具)、１１  内枠体、１１ａ  開口、
１２  内縦枠材、１３  内横枠材、１４  気密材、２０  障子、２１  縦框材、
２２  横框材、２３  框体、２６  支持部材、３０  板ばね、１００  建具、
１０１  内障子、１０２  外障子、１０３  框体、１０４  内枠体、１０５  戸先框 、
Ｓ  空隙、
【図１】
0006563199.tif 000002
【図２】
0006563199.tif 000003
【図３】
0006563199.tif 000004
【図４】
0006563199.tif 000005
【図５】
0006563199.tif 000006
【図６】
0006563199.tif 000007
【図７】
0006563199.tif 000008
【図８】
0006563199.tif 000009
【図９】
0006563199.tif 000010
【図１０】
0006563199.tif 000011
【図１１】
0006563199.tif 000012
【図１２】
0006563199.tif 000013
【図１３】
0006563199.tif 000014
【図１４】
0006563199.tif 000015